(57)【要約】【課題】  全体配線図のチェック作業を自動的に行う。【解決手段】  複数の部分配線図を画面上に表示し、この部分配線図毎にそれぞれ電流方向を矢印により表示し、表示された複数の部分配線図を表示画面上で相互に結合させて全体配線図を表示する。この全体配線図には、部分配線図のときには存在しない新たな電流流路が生じるので、この全体配線図に電流方向を改めて矢印により表示する。この全体配線図の分岐あるいは結節点を抽出し表示された矢印が対向する部分についてはその矢印のいずれか一方の矢印に相当する電流が存在しないと仮定した場合の電流流路を表示する。この表示された電流流路と部分配線図に表示された矢印とを比較して当該部分配線図の矢印が示す電流方向以外の方向への電流流路が存在するときにはその電流流路を警報表示する。【選択図】  図１
2005148832.tif 000002
【特許請求の範囲】
【請求項１】
複数の部分配線図を表示する部分配線図表示手段と、
前記部分配線図毎にそれぞれ電流方向を矢印により表示する第一の矢印表示手段と、
前記部分配線図表示手段により表示された前記複数の部分配線図を表示画面上で相互に結合させて全体配線図を表示する手段と、
この全体配線図を表示する手段により表示された全体配線図に電流方向を矢印により表示する第二の矢印表示手段と、
前記全体配線図の分岐あるいは結節点を抽出し前記第二の矢印表示手段により表示された矢印が対向する部分についてはその矢印のいずれか一方の矢印に相当する電流が存在しないと仮定した場合の電流流路を表示する手段と、
この電流流路を表示する手段により表示された電流流路と前記部分配線図に表示された矢印とを比較して当該部分配線図の矢印が示す電流方向以外の方向への電流流路が存在するときにはその電流流路を警報表示する手段と
を備えたことを特徴とする配線図作成装置。
【請求項２】
前記警報表示する手段は、警報表示すべき電流流路に表示される前記矢印を点滅表示または正常箇所の前記矢印と異なる色により表示する手段を備えた請求項１記載の配線図作成装置。
【請求項３】
前記警報表示する手段は、警報表示すべき電流流路に所定の記号または図形または文字を点滅表示または正常箇所の前記矢印と異なる色により表示する手段を備えた請求項１記載の配線図作成装置。
【請求項４】
情報処理装置にインストールすることにより、その情報処理装置に、
複数の部分配線図を表示する部分配線図表示機能と、
前記部分配線図毎にそれぞれ電流方向を矢印により表示する第一の矢印表示機能と、
前記部分配線図表示機能により表示された前記複数の部分配線図を表示画面上で相互に結合させて全体配線図を表示する機能と、
この全体配線図を表示する機能により表示された全体配線図に電流方向を矢印により表示する第二の矢印表示機能と、
前記全体配線図の分岐あるいは結節点を抽出し前記第二の矢印表示機能により表示された矢印が対向する部分についてはその矢印のいずれか一方の矢印に相当する電流が存在しないと仮定した場合の電流流路を表示する機能と、
この電流流路を表示する機能により表示された電流流路と前記部分配線図に表示された矢印とを比較して当該部分配線図の矢印が示す電流方向以外の方向への電流流路が存在するときにはその電流流路を警報表示する機能と
を備えた配線図作成装置に相応する機能を実現させることを特徴とするプログラム。
【請求項５】
前記警報表示する機能として、警報表示すべき電流流路に表示される前記矢印を点滅表示または正常箇所の前記矢印と異なる色により表示する機能を実現させる請求項４記載のプログラム。
【請求項６】
前記警報表示する機能として、警報表示すべき電流流路に所定の記号または図形または文字を点滅表示または正常箇所の前記矢印と異なる色により表示する機能を実現させる請求項４記載のプログラム。
【発明の詳細な説明】
【技術分野】
【０００１】
本発明は、自動車用電気配線の配線図作成に利用する。特に、誤配線の発見技術に関する。
【背景技術】
【０００２】
自動車には、例えば、ランプ類を点灯するための電気回路、各種センサの情報を収集して表示するための電気回路、エンジンの燃料噴射を制御するための電気回路、ブレーキを制御するための電気回路、カーナビゲーション・システムのための電気回路、ＡＶ機器のための電気回路、ＥＴＣのための電気回路など、多種多様な電気回路が搭載されている。
【０００３】
このような電気回路は、それぞれ技術分野が異なるため、全電気回路を統括的に研究開発することは困難であり、各分野に分かれて研究開発が行われている。
【特許文献１】特開平３−６０４１号公報
【発明の開示】
【発明が解決しようとする課題】
【０００４】
分野毎に分かれてそれぞれ開発された電気回路は、最終的に一つの電気回路として集約される。この集約作業時に、各電気回路は電気的に結合される。この集約作業では、可能な限り、部品および配線の省略化が行われる（例えば、特許文献１参照）。これにより、例えば、一つの電気部品が複数の電気回路で共通に使用されることがある。
【０００５】
図１０は異なる二つの部分配線図の例を示す図である。部分配線図Ａにおけるスイッチ（ＳＷ）♯１は、負荷♯１とエンジン用その他のＥＣＵ（電子制御回路）♯１に対して通電するものである。一方、部分配線図Ｂにおけるスイッチ♯２は、負荷♯１にのみ通電するものである。これによれば、部分配線図ＡとＢは負荷♯１が共通であるため、スイッチ♯１、♯２によって共に負荷♯１を駆動させることができる。
【０００６】
このような二つの異なる部分配線図を結合すると図１１に示す全体配線図になる。このときに、ある条件（負荷♯１側抵抗値＞ＥＣＵ♯１抵抗値）では、図１０に示した部分配線図とは異なる電流の回り込みが発生する。この電流の回り込みを図１１に一点鎖線により示した。図１１に示すように、本来はスイッチ♯２の操作とは無関係であるはずのＥＣＵ♯１に対し、スイッチ♯２の操作に応じて一点鎖線で示したように電流が回り込んでしまう。図１２はこのような電流の回り込みに対する対策を施した全体配線図である。図１２に示すように、ダイオードを挿入することにより、スイッチ♯２の操作による電流の回り込みを阻止している。
【０００７】
以上説明したように、異なる部分配線図を単純に結合しただけでは、電気回路が正常に動作しない場合がある。したがって、結合された全体配線図に対し、入念なチェックを行う必要がある。従来は、専門的知識を有する技術者がかなりの時間をかけてこのチェック作業を行っていた。このため、各分野の部分配線図が完成してから、全体配線図が作成されるまでに長い期間を必要とした。
【０００８】
本発明は、このような背景に行われたものであって、全体配線図のチェック作業を自動的に行うことができる配線図作成装置を提供することを目的とする。
【課題を解決するための手段】
【０００９】
本発明の配線図作成装置は、複数の部分配線図を画面上に表示し、この部分配線図毎にそれぞれ電流方向を矢印により表示し、表示された複数の部分配線図を表示画面上で相互に結合させて全体配線図を表示する。この全体配線図には、部分配線図のときには存在しない新たな電流流路が生じるので、この全体配線図に電流方向を改めて矢印により表示する。この全体配線図の分岐あるいは結節点を抽出し表示された矢印が対向する部分についてはその矢印のいずれか一方の矢印に相当する電流が存在しないと仮定した場合の電流流路を表示する。この表示された電流流路と部分配線図に表示された矢印とを比較して当該部分配線図の矢印が示す電流方向以外の方向への電流流路が存在するときにはその電流流路を警報表示する。
【００１０】
これにより、全体配線図のチェック作業を自動化することができるため、チェック期間を短縮すると共に手間を省くことができる。
【００１１】
すなわち、本発明の第一の観点は配線図作成装置であって、本発明の特徴とするところは、複数の部分配線図を表示する部分配線図表示手段と、前記部分配線図毎にそれぞれ電流方向を矢印により表示する第一の矢印表示手段と、前記部分配線図表示手段により表示された前記複数の部分配線図を表示画面上で相互に結合させて全体配線図を表示する手段と、この全体配線図を表示する手段により表示された全体配線図に電流方向を矢印により表示する第二の矢印表示手段と、前記全体配線図の分岐あるいは結節点を抽出し前記第二の矢印表示手段により表示された矢印が対向する部分についてはその矢印のいずれか一方の矢印に相当する電流が存在しないと仮定した場合の電流流路を表示する手段と、この電流流路を表示する手段により表示された電流流路と前記部分配線図に表示された矢印とを比較して当該部分配線図の矢印が示す電流方向以外の方向への電流流路が存在するときにはその電流流路を警報表示する手段とを備えたところにある。
【００１２】
前記警報表示する手段は、例えば、警報表示すべき電流流路に表示される前記矢印を点滅表示または正常箇所の前記矢印と異なる色により表示する手段を備える。あるいは、警報表示すべき電流流路に所定の記号または図形または文字を点滅表示または正常箇所の前記矢印と異なる色により表示する手段を備える。
【００１３】
後者の場合には、全体配線図上の電流回り込みを警報表示すべき箇所に自動的に所定の記号または図形または文字を書き込ませることができる。例えば、前記所定の記号はダイオード記号である。これによれば、オペレータの作業としては、配線図作成装置が自動的に書き込んだダイオード記号の位置および向きに誤りが無いか否かを最終的にチェックするだけでよく、オペレータが全体配線図にダイオード記号を挿入する手間を省くことができる。
【００１４】
本発明の第二の観点はプログラムであって、本発明の特徴とするところは、情報処理装置にインストールすることにより、その情報処理装置に、複数の部分配線図を表示する部分配線図表示機能と、前記部分配線図毎にそれぞれ電流方向を矢印により表示する第一の矢印表示機能と、前記部分配線図表示機能により表示された前記複数の部分配線図を表示画面上で相互に結合させて全体配線図を表示する機能と、この全体配線図を表示する機能により表示された全体配線図に電流方向を矢印により表示する第二の矢印表示機能と、前記全体配線図の分岐あるいは結節点を抽出し前記第二の矢印表示機能により表示された矢印が対向する部分についてはその矢印のいずれか一方の矢印に相当する電流が存在しないと仮定した場合の電流流路を表示する機能と、この電流流路を表示する機能により表示された電流流路と前記部分配線図に表示された矢印とを比較して当該部分配線図の矢印が示す電流方向以外の方向への電流流路が存在するときにはその電流流路を警報表示する機能とを備えた配線図作成装置に相応する機能を実現させるところにある。
【００１５】
前記警報表示する機能として、例えば、警報表示すべき電流流路に表示される前記矢印を点滅表示または正常箇所の前記矢印と異なる色により表示する機能を実現させる。あるいは、警報表示すべき電流流路に所定の記号または図形または文字を点滅表示または正常箇所の前記矢印と異なる色により表示する機能を実現させる。前記所定の記号は、例えば、ダイオード記号である。
【００１６】
本発明の第三の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００１７】
これにより、汎用の情報処理装置を用いて、全体配線図のチェック作業を自動的に行うことができる配線図作成装置を実現することができる。
【発明の効果】
【００１８】
本発明によれば、全体配線図のチェック作業を自動的に行うことができるため、チェック期間を短縮すると共に手間を省くことができる。
【発明を実施するための最良の形態】
【００１９】
（第一実施例）
本発明第一実施例の配線図作成装置の構成を図１を参照して説明する。図１は本実施例の配線図作成装置のブロック構成図である。
【００２０】
本実施例の配線図作成装置は、図１に示すように、複数の部分配線図を表示する表示部１と、この部分配線図毎にそれぞれ電流方向を矢印により表示する電流方向特定部２と、表示部２により表示された複数の部分配線図を表示画面上で相互に結合させて全体配線図を表示する全体配線図作成部３とを備え、電流方向特定部２は、この全体配線図作成部３により表示された全体配線図に電流方向を矢印により表示する手段を備え、全体配線図の分岐あるいは結節点を抽出し電流方向特定部２により表示された矢印が対向する部分についてはその矢印のいずれか一方の矢印に相当する電流が存在しないと仮定した場合の電流流路を表示する手段と、この電流流路を表示する手段により表示された電流流路と部分配線図に表示された矢印とを比較して当該部分配線図の矢印が示す電流方向以外の方向への電流流路が存在するときにはその電流流路を警報表示する手段とを備えた電流回り込み判定部４を備えたことを特徴とする。
【００２１】
部分配線図格納部５には、複数の部分配線図Ａ〜Ｄが入力されて格納される。これらの複数の部分配線図Ａ〜Ｄは表示部１に表示される。全体配線図作成部３には、キーボード６およびマウス７が接続され、オペレータは、表示部１に表示された複数の部分配線図Ａ〜Ｄを見ながら、キーボード６またはマウス７を操作して複数の部分配線図Ａ〜Ｄを結合させて一つの全体配線図を作成する。
【００２２】
あるいは、各部分配線図Ａ〜Ｄに、あらかじめ、他の部分配線図との接続箇所を指定する情報が記載されている場合には、全体配線図作成部３が自動的に複数の部分配線図Ａ〜Ｄを結合させて一つの全体配線図を作成することができる。図２は二つの異なる部分配線図の例を示す図である。図３は、図２に示した部分配線図を結合した全体配線図の例を示す図である。図２の例では、部分配線部ＡおよびＢに、負荷♯１が共通に記載されている。このような場合には、全体配線図作成部３は、負荷♯１を接続箇所を指定する情報と判断してこれを利用し、図３に示すように、負荷♯１に、スイッチ♯１および♯２を共通に接続する。
【００２３】
なお、負荷♯１のような共通部品を接続箇所を指定する情報として用いる他に、部分配線図の作成時に部分配線図の作成者が接続箇所を指定する情報を記号あるいは文字により書き込むことができる。
【００２４】
本発明は、汎用の情報処理装置にインストールすることにより、その情報処理装置に本発明の配線図作成装置に相応する機能を実現させるプログラムとして実現することができる。このプログラムは、記録媒体に記録されて情報処理装置にインストールされ、あるいは通信回線を介して情報処理装置にインストールされることにより当該情報処理装置に、表示部１、電流方向特定部２、全体配線図作成部３、電流回り込み判定部４、部分配線図格納部５にそれぞれ相応する機能を実現させることができる。
【００２５】
次に、本実施例の配線図作成装置の動作を説明する。
【００２６】
部分配線図の作成者は、部分配線図格納部５に、自己が作成した部分配線図を格納する。部分配線図格納部５は、例えば、ＬＡＮによって部分配線図の作成者の端末装置と接続されており、部分配線図の作成者は、自己の端末装置から完成した部分配線図を部分配線図格納部５に転送することができる。
【００２７】
部分配線図格納部５に、複数の部分配線図Ａ〜Ｄが格納されると、これらの部分配線図Ａ〜Ｄは表示部１に表示される。このときに、電流方向特定部２は、図２に示すように、電流方向を矢印により表示する。部分配線図Ａでは、電流は、ヒューズ♯１およびスイッチ♯１を通り、負荷♯１およびＥＣＵ♯１に供給される。部分配線図Ｂでは、電流は、ヒューズ♯２およびスイッチ♯２を通り、負荷♯１に供給される。
【００２８】
続いて、全体配線図作成部３は、部分配線図ＡおよびＢを結合させ、図３に示す全体配線図を作成する。このときの作成手順は、前述したように、オペレータがキーボード６およびマウス７を操作して手動により結合してもよいし、あるいは、全体配線図作成部３が部分配線図ＡおよびＢの共通部品である負荷♯１を部分配線図ＡおよびＢの接続箇所を指定する情報と認識し、自動的に結合してもよい。作成された全体配線図には、部分配線図のときには存在しない新たな電流流路が生じるので、電流方向特定部２が全体配線図に改めて電流方向を矢印により表示する。
【００２９】
このようにして、図３に示すように、電流方向を示す矢印が表示された全体配線図が完成する。この全体配線図に対して電流回り込み判定部４が電流の回り込みを判定する。この判定手順を図８に示す。図８は電流回り込み判定部４の判定手順を示すフローチャートである。電流回り込み判定部４は、図３に示す全体配線図の分岐あるいは結節点を抽出し矢印方向を監視する（ステップＳ１）。
【００３０】
図４は本実施例で用いる矢印表示例を示す図である。図４（ａ）の表示例は、図３の表示例と同じである。破線で囲んだ部分は部分配線図Ａにおける分岐点であり、矢印が対向している。また、図４（ｂ）の表示例は、図４（ａ）の表示例と異なるが、電流方向は図４（ａ）と等価である。図４（ｂ）の場合には、破線で囲んだ部分は部分配線図ＡとＢとの結節点であり、矢印が直角に出会っているが、この場合も「対向」と定義する。すなわち、矢印の先端部分が出会っている状態を対向している状態と定義する。なお、「分岐点」と「結節点」の用語の定義を説明すると、部分配線図に当初より存在する分岐点を「分岐点」と呼び、部分配線図同士を結合したときに新たに出現する分岐点を「結節点」と呼ぶ。
【００３１】
図５は本実施例では用いない矢印の表示例を示す図である。本実施例では、図５に示すように、矢印を、分岐点あるいは結節点をまたいで表示することはしない。その理由は、このようにすると、矢印の先端部分が出会っている状態を対向している状態と定義できなくなるからである。
【００３２】
全体配線図の矢印方向を監視した結果、対向した矢印を発見したときには（ステップＳ２）、図６に示すように、いずれか一方の矢印が示す電流が無いと仮定する（ステップＳ３）。これにより、スイッチ♯２からの矢印が消える。この図６の状態を図２に示す部分配線部Ａと比較する（ステップＳ４）。図６に示す矢印と図２の部分配線図Ａに示す矢印とを比較して図２の部分配線図Ａと異なる方向の電流流路を示す矢印がなければ、電流の回り込みは「無し」と判定する（ステップＳ５）。ここで、もし、電流の回り込みが発見されると該当する矢印が点滅して警報表示される（ステップＳ６）。あるいは、矢印の色を異常を示す色（例えば赤色）に変えて表示してもよい。あるいは、矢印の色を異常を示す色に変えた上に点滅表示させてもよい。図６の例では、電流の回り込みは無い。
【００３３】
続いて、図７に示すように、先程とは反対方向の矢印が示す電流が無いと仮定する（ステップＳ７）。これにより、スイッチ♯１からの矢印が消える。この図７の状態を図２に示す部分配線図Ｂと比較する（ステップＳ８）。図７に示す矢印と図２の部分配線図Ｂに示す矢印とを比較して図２の部分配線図Ｂと異なるＥＣＵ♯１に向かう方向の電流流路を示す矢印があるので、電流の回り込みは「有り」と判定する（ステップＳ９）。このようにして、電流の回り込みが発見されると該当する矢印が点滅して警報表示される（ステップＳ１０）。あるいは、矢印の色を異常を示す色（例えば赤色）に変えて表示してもよい。あるいは、矢印の色を異常を示す色に変えた上に点滅表示させてもよい。図７の例では、スイッチ♯２を通る電流がＥＣＵ♯１に回り込んでいることが発見できた。
【００３４】
オペレータは、点滅表示または赤色表示されている矢印を発見すると電流の回り込みが発生していることを容易に認識することができるので、図１２に示すように、ダイオードを挿入するなどの対策を施すことができる。
【００３５】
（第二実施例）
本発明第二実施例を図９を参照して説明する。図９は第二実施例の警報表示を説明するための図である。第二実施例として、電流回り込み判定部４は、警報表示すべき電流流路にダイオード記号を点滅表示または矢印と異なる色により表示する手段を備える。
【００３６】
第二実施例は、第一実施例と同じ手順により、全体配線図上で自動的に電流の回り込みを判定し、電流回り込みを警報表示すべき箇所を特定する。第一実施例では、該当箇所の矢印を点滅表示または正常箇所の矢印と異なる色により警報表示した。これに対し、第二実施例では、警報表示すべき電流流路にダイオード記号を点滅表示または正常箇所の矢印と異なる色により表示する。
【００３７】
すなわち、全体配線図上の電流回り込みを警報表示すべき箇所に自動的にダイオードの記号を書き込ませることができる。これにより、オペレータの作業としては、配線図作成装置が自動的に書き込んだダイオード記号の位置および向きに誤りが無いか否かを最終的にチェックするだけでよく、オペレータが全体配線図にダイオード記号を挿入する手間を省くことができる。
【００３８】
なお、ダイオード記号以外にも所定の記号または図形または文字を同様に表示させるように設定することができる。例えば、警報表示すべき電流流路に×印を表示させたり、「異常」あるいは「回り込み」などの文字を表示させることもできる。
【００３９】
さらに、複数の電流回り込みパターンとそれに対応する警報表示パターンとを本実施例の配線図作成装置に教え込み、電流回り込みのパターンに応じて警報表示パターンを変えて記号または図形または文字を全体配線図上の電流回り込みを警報表示すべき箇所に自動的に書き込ませることもできる。
【産業上の利用可能性】
【００４０】
本発明によれば、全体配線図のチェック作業を自動的に行うことができるため、部分配線図が完成してから全体配線図が完成するまでの期間を短縮すると共に手間を省くことができる。これにより、自動車研究開発期間の短縮および自動車製造コスト削減に寄与することができる。
【図面の簡単な説明】
【００４１】
【図１】本実施例の配線図作成装置のブロック構成図。
【図２】本実施例の部分配線図の例を示す図。
【図３】本実施例の全体配線図の例を示す図。
【図４】本実施例で用いる矢印表示例を示す図。
【図５】本実施例では用いない矢印表示例を示す図。
【図６】本実施例の電流回り込み発見のための手順を説明するための図。
【図７】本実施例の電流回り込み発見のための手順および第一実施例の警報表示例を説明するための図。
【図８】本実施例の電流回り込み判定部の判定手順を示すフローチャート。
【図９】第二実施例の警報表示を説明するための図。
【図１０】従来の部分配線図の例を示す図。
【図１１】従来の全体配線図および電流回り込みの例を示す図。
【図１２】電流回り込み対策を施した全体配線図の例を示す図。
【符号の説明】
【００４２】
１  表示部
２  電流方向特定部
３  全体配線図作成部
４  電流回り込み判定部
５  部分配線図格納部
６  キーボード
７  マウス
【図１】
2005148832.tif 000003
【図２】
2005148832.tif 000004
【図３】
2005148832.tif 000005
【図４】
2005148832.tif 000006
【図５】
2005148832.tif 000007
【図６】
2005148832.tif 000008
【図７】
2005148832.tif 000009
【図８】
2005148832.tif 000010
【図９】
2005148832.tif 000011
【図１０】
2005148832.tif 000012
【図１１】
2005148832.tif 000013
【図１２】
2005148832.tif 000014